(57)【要約】【課題】記録した本放送またはそれに連動するデータ放送を、希望する場面から頭出し再生などしながら、効率的に再生視聴することが可能なデータ放送対応携帯視聴端末を提供することを課題とする。また、記録した本放送のコーナー変化などのタイミングを容易に把握できるようなマッピング表示をするデータ放送対応携帯視聴端末を提供することを課題とする。【解決手段】本放送に連動するデータ放送などを利用して本放送のインデックス情報を生成し、それを利用して、本放送の頭出し再生などを実現するデータ放送対応携帯視聴端末を提供する。また、生成したインデックス情報を画面上にマッピング表示し、その表示を利用した利用者の入力に基づいて、本放送の頭出し再生などを実現するデータ放送対応携帯視聴端末を提供する。【選択図】          図２３
2009147752.tif 000002
【特許請求の範囲】
【請求項１】
本放送情報を取得する本放送情報取得部と、
本放送情報蓄積部と、
本放送表示部と、
本放送情報とは分離してデータ放送情報を取得するデータ放送情報取得部と、
前記データ放送情報取得部にて取得したデータ放送情報を蓄積するデータ放送情報蓄積部と、
データ放送表示部と、
データ放送情報蓄積部に蓄積されたデータ放送情報に基づいてデータ放送画面をスライドショー形式で表示可能なスライド表示部と、
を有するデータ放送対応携帯視聴端末。
【請求項２】
データ放送情報を利用してインデックス情報を生成するインデックス情報生成部と、
前記インデックス情報を利用して本放送表示部での表示を制御する本放送表示制御部と、
を有する請求項１に記載のデータ放送対応携帯視聴端末。
【請求項３】
インデックス情報をパラメータとして本放送情報を編集可能な本放送情報編集部
をさらに有する請求項２に記載のデータ放送対応携帯視聴端末。
【請求項４】
インデックス情報生成部は、
データ放送情報に基づいて表示されるデータ放送画面のレイアウトの変更を識別するレイアウト識別手段を有し、
データ放送画面のレイアウト変更情報をもインデックス情報として生成するレイアウトインデックス生成手段を有する、
請求項２又は３に記載のデータ放送対応携帯視聴端末。
【請求項５】
データ放送表示部は、表示されるデータ放送の一部分を特定するための枠を表示する枠表示手段を有し、
インデックス情報生成部は、枠表示手段により表示された枠で特定された部分に表示されるデータ放送情報を利用してインデックス情報を生成する枠別インデックス生成手段を有する、
請求項２から４のいずれか一に記載のデータ放送対応携帯視聴端末。
【請求項６】
インデックス情報生成部は、
データ放送情報にメールアドレス、ＵＲＬ、電話番号、ファックス番号、ＩＰアドレスなどのアドレス情報が含まれているか判断する判断手段を有し、
アドレス情報が含まれる場合は、アドレス情報をもインデックス情報として生成するアドレス情報インデックス生成手段を有する、
請求項２から５のいずれか一に記載のデータ放送対応携帯視聴端末。
【請求項７】
インデックス情報を本放送情報に対応させてマッピングして表示するマッピング表示部をさらに有する請求項２から６のいずれか一に記載のデータ放送対応携帯視聴端末。
【請求項８】
インデックス情報を外部出力するためのインデックス情報外部出力部を有する請求項２から７のいずれか一に記載のデータ放送対応携帯視聴端末。
【請求項９】
データ放送情報に代えて字幕データ情報を利用する請求項１から８のいずれか一に記載のデータ放送対応携帯視聴端末。
【請求項１０】
本放送情報を取得する本放送情報取得ステップと、
本放送情報蓄積ステップと、
本放送表示ステップと、
本放送情報とは分離してデータ放送情報を取得するデータ放送情報取得ステップと、
前記データ放送情報取得ステップにて取得したデータ放送情報を蓄積するデータ放送情報蓄積ステップと、
データ放送表示ステップと、
データ放送情報蓄積ステップに蓄積されたデータ放送情報に基づいてデータ放送画面をスライドショー形式で表示可能なスライド表示ステップと、
を有するデータ放送対応携帯視聴端末の起動方法。
【請求項１１】
データ放送情報を利用してインデックス情報を生成するインデックス情報生成ステップと、
前記インデックス情報を利用して本放送表示ステップでの表示を制御する本放送表示制御ステップ、
を有する請求項１０に記載のデータ放送対応携帯視聴端末の起動方法。
【請求項１２】
インデックス情報をパラメータとして本放送情報を編集可能な本放送情報編集ステップ
をさらに有する請求項１１に記載のデータ放送対応携帯視聴端末の起動方法。
【発明の詳細な説明】
【技術分野】
【０００１】
本発明は、デジタルＴＶ放送受信機能やデジタルラジオ放送受信機能などを有する携帯端末装置に関する。
【背景技術】
【０００２】
近年の携帯電話などの携帯端末装置には、デジタルＴＶ放送やデジタルラジオ放送などを受信する機能が付与されているものがある。利用者は当該機能を利用して、放送を視聴したり、放送を記録したりすることができる。
【０００３】
ここで、携帯端末装置を利用して受信可能なデジタルＴＶやデジタルラジオの放送には、本放送に伴ってデータ放送などが行われている。そして、利用者は、それらを内部メモリに記録し、再生視聴することができる。データ放送では、テキスト情報や画像情報などを利用して、本放送の内容を文字情報として表示したり（例：ニュース番組のデータ放送、スポーツ番組のデータ放送）、視聴者が番組に参加するための情報（例：番組内でのアンケート、クイズ番組）を表示したりしているが、現在のデータ放送はあくまで、本放送の補完的位置づけである。
【０００４】
しかしながら、データ放送の内容は日々充実したものとなってきており、本放送でニュース番組や情報番組などが放送されている場合、それに連動しているデータ放送をメインとして視聴することで、放送内容を大体理解することができるものもある。また、本放送に連動したデータ放送は、その充実した放送内容から、記録した本放送を再生視聴するためのインデックス情報として利用するのに非常に適している。例えば、本放送のスポーツ放送を記録した利用者が得点シーンだけを再生視聴することを望む場合、データ放送の内容をインデックス情報として利用することで、容易に本放送の希望するシーン（例：得点シーン）を検出することが可能になる。
【０００５】
しかし、現時点においては、記録したデータ放送をメインとして効率的に再生視聴したり、データ放送を利用して本放送のインデックス情報を生成し、それを利用して録画した本放送を効率的に再生視聴したりする手段は存在しない。録画した本放送を効率的に再生視聴する手段としては、例えば、特許文献１のような発明がなされているが、特許文献１の発明は、Ｗｅｂから取得した番組のタイムスケジュールを利用して、本放送のインデックス情報を生成するというものであり、データ放送を利用する手段については開示されていない。
【特許文献１】特開２００３−１９９０１３
【発明の開示】
【発明が解決しようとする課題】
【０００６】
そこで、本発明では、記録したデータ放送を、効率的に再生視聴することが可能な携帯端末装置を提供することを課題とする。また、記録したデータ放送を利用して、本放送を効率的に再生視聴することが可能な携帯端末装置を提供することを課題とする。
【課題を解決するための手段】
【０００７】
上記課題を解決するための手段として、以下のような発明などを提供する。
【０００８】
記録したデータ放送を、スライドショー形式で画面上に表示することが可能な携帯端末装置を提供する。また、データ放送を利用して、記録した本放送のインデックス情報を生成する。そして、生成したインデックス情報を利用して、シーン検索などしながら本放送を再生視聴することが可能な携帯端末装置を提供する。
【０００９】
具体的には、以下の発明を提供する。
【００１０】
第一発明では、本放送情報を取得する本放送情報取得部と、本放送情報蓄積部と、本放送表示部と、本放送情報とは分離してデータ放送情報を取得するデータ放送情報取得部と、前記データ放送情報取得部にて取得したデータ放送情報を蓄積するデータ放送情報蓄積部と、データ放送表示部と、データ放送情報蓄積部に蓄積されたデータ放送情報に基づいてデータ放送画面をスライドショー形式で表示可能なスライド表示部とを有するデータ放送対応携帯視聴端末を提供する。
【００１１】
第二発明では、第一発明を基本とし、さらに、データ放送情報を利用してインデックス情報を生成するインデックス情報生成部と、前記インデックス情報を利用して本放送表示部での表示を制御する本放送表示制御部を有するデータ放送対応携帯視聴端末を提供する。
【００１２】
第三発明では、第二発明を基本とし、さらに、インデックス情報をパラメータとして本放送情報を編集可能な本放送情報編集部を有するデータ放送対応携帯視聴端末を提供する。
【００１３】
第四発明では、第二発明または第三発明を基本とし、さらに、インデックス情報生成部は、データ放送情報に基づいて表示されるデータ放送画面のレイアウトの変更を識別するレイアウト識別手段を有し、データ放送画面のレイアウト変更情報をもインデックス情報として生成するレイアウトインデックス生成手段を有するデータ放送対応携帯視聴端末を提供する。
【００１４】
第五発明では、第二発明から第四発明のいずれか一を基本とし、さらに、データ放送表示部は、表示されるデータ放送の一部分を特定するための枠を表示する枠表示手段を有し、インデックス情報生成部は、枠表示手段により表示された枠で特定された部分に表示されるデータ放送情報を利用してインデックス情報を生成する枠別インデックス生成手段を有するデータ放送対応携帯視聴端末を提供する。
【００１５】
第六発明では、第二発明から第五発明のいずれか一を基本とし、さらに、インデックス情報生成部は、データ放送情報にメールアドレス、ＵＲＬ、電話番号、ファックス番号、ＩＰアドレスなどのアドレス情報が含まれているか判断する判断手段を有し、アドレス情報が含まれる場合は、アドレス情報をもインデックス情報として生成するアドレス情報インデックス生成手段を有するデータ放送対応携帯視聴端末を提供する。
【００１６】
第七発明では、第二発明から第六発明のいずれか一を基本とし、さらに、インデックス情報を本放送情報に対応させてマッピングして表示するマッピング表示部を有するデータ放送対応携帯視聴端末を提供する。
【００１７】
第八発明では、第二発明から第七発明のいずれか一を基本とし、さらに、インデックス情報を外部出力するためのインデックス情報外部出力部を有するデータ放送対応携帯視聴端末を提供する。
【００１８】
第九発明では、第一発明から第八発明のいずれか一を基本とし、さらに、データ放送情報に代えて字幕データ情報を利用するデータ放送対応携帯視聴端末を提供する。
【００１９】
第十発明では、本放送情報を取得する本放送情報取得ステップと、本放送情報蓄積ステップと、本放送表示ステップと、本放送情報とは分離してデータ放送情報を取得するデータ放送情報取得ステップと、前記データ放送情報取得ステップにて取得したデータ放送情報を蓄積するデータ放送情報蓄積ステップと、データ放送表示ステップと、データ放送情報蓄積ステップに蓄積されたデータ放送情報に基づいてデータ放送画面をスライドショー形式で表示可能なスライド表示ステップとを有するデータ放送対応携帯視聴端末の起動方法を提供する。
【００２０】
第十一発明では、第十発明を基本とし、さらに、データ放送情報を利用してインデックス情報を生成するインデックス情報生成ステップと前記インデックス情報を利用して本放送表示ステップでの表示を制御する本放送表示制御ステップを有するデータ放送対応携帯視聴端末の起動方法を提供する。
【００２１】
第十二発明では、第十一発明を基本とし、さらに、インデックス情報をパラメータとして本放送情報を編集可能な本放送情報編集ステップを有するデータ放送対応携帯視聴端末の起動方法を提供する。
【発明の効果】
【００２２】
本発明により、利用者は、記録したデータ放送をスライドショー形式で視聴することが可能となる。その結果、そのデータ放送と連動している本放送の内容を効率的に把握できるようになる。
【００２３】
また、データ放送を利用して連動している本放送のインデックス情報を生成し、それを、記録した本放送を再生視聴する際に利用することができる。その結果、利用者は高精度のシーン検索などを行うことが可能となり、本放送を効率的に再生視聴することが可能となる。
【発明を実施するための最良の形態】
【００２４】
以下本発明を実施するための最良の形態について、図面を用いて詳細に説明する。なお、本発明はこれら実施の形態になんら限定されるものではなく、その要旨を逸脱しない範囲において種々なる態様で実施しうる。
【００２５】
なお、以下の実施形態と請求項の関係は次のとおりである。実施形態１は主として請求項１、１０などについて説明する。実施形態２は主として請求項２、３、８、１１、１２などについて説明する。実施形態３は主として請求項４などについて説明する。実施形態４は主として請求項５などについて説明する。実施形態５は、主として請求項６などについて説明する。実施形態６は、主として請求項７などについて説明する。実施形態７は、主として請求項９などについて説明する。
＜＜実施形態１＞＞
＜実施形態１の概要＞
【００２６】
本実施形態のデータ放送対応携帯視聴端末は、デジタルＴＶ・ラジオチューナを介して取得し、内部メモリに記録したデータ放送を、スライドショー形式で画面に表示することができる。
＜実施形態１の機能的構成＞
【００２７】
図１は、本実施形態の放送受信装置の機能ブロックの一例を表す図である。この図にあるように本実施形態の「データ放送対応携帯視聴端末」（０１００）は、「本放送情報取得部」（０１０１）と、「本放送情報蓄積部」（０１０２）と、「本放送表示部」（０１０３）と、「データ放送情報取得部」（０１０４）と、「データ放送情報蓄積部」（０１０５）と、「データ放送表示部」（０１０６）と、「スライド表示部」（０１０７）を有する。
【００２８】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２９】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００３０】
以下、本実施形態の「データ放送対応携帯視聴端末」（０１００）と、「本放送情報取得部」（０１０１）と、「本放送情報蓄積部」（０１０２）と、「本放送表示部」（０１０３）と、「データ放送情報取得部」（０１０４）と、「データ放送情報蓄積部」（０１０５）と、「データ放送表示部」（０１０６）と、「スライド表示部」（０１０７）の機能的構成について説明する。なお、以下ではデジタルＴＶに関する手段について主に説明するが、その他、デジタルラジオや見えるラジオなど「データ放送と本放送（映像情報＋音声情報）」、「データ放送と本放送（音声情報）」のように、本放送と連動したデータ放送を行っているコンテンツに関して、同様の手段を用いて、同様の効果を得ることができる。これは、以下のすべての実施形態において同様である。
【００３１】
本実施形態の「データ放送対応携帯視聴端末」（０１００）は、データ放送を視聴するためのデジタルＴＶ放送受信機能やデジタルラジオ放送受信機能などを有する携帯端末装置であり、例えば、携帯電話などが該当する。
【００３２】
「本放送情報取得部」（０１０１）は、本放送情報を取得するよう構成されている。デジタル放送波には、映像情報や音声情報からなる番組の本放送（メインコンテンツ）と、本放送を補完する位置づけのデータ放送が多重化されている。本放送情報取得部（０１０１）は、デジタルＴＶ・ラジオチューナを介して、本放送情報を含むデジタル放送波を取得する。そして、デジタル放送波の中から本放送情報を識別し、取得するよう構成されている。
【００３３】
「本放送情報蓄積部」（０１０２）は、本放送情報取得部（０１０１）が取得した本放送情報を蓄積するよう構成されている。本放送情報蓄積部（０１０２）で蓄積した本放送情報は、直ぐに放送内容を画面に表示するために、後に説明する本放送表示部（０１０３）で利用されたり、または、そのまま蓄積され、後日放送内容を画面に表示するために、本放送表示部（０１０３）で利用されたりする。蓄積後直ぐに放送内容を画面に表示するために本放送表示部（０１０３）で利用された本放送情報は、利用後直ぐに消去されてもよい。なお、本放送情報蓄積部（０１０２）は、蓄積する本放送情報に、蓄積する番組を識別するための情報（以下、「番組識別情報」という）（例：「放送日時」、「ＣＨ」、「番組名」など）を付与して蓄積できてもよい。
【００３４】
「本放送表示部」（０１０３）は、本放送を画面に表示するよう構成されている。すなわち、本放送表示部（０１０３）は、本放送情報蓄積部（０１０２）より、本放送情報を取得するよう構成されている。なお、本放送情報取得部（０１０１）より、直接本放送情報を取得するよう構成されてもよい。そして、取得した本放送情報にデコード処理などの所定の処理を行った後、画面に本放送を出力するよう構成されている。
【００３５】
「データ放送情報取得部」（０１０４）は、本放送情報とは分離してデータ放送情報を取得するよう構成されている。データ放送情報は、ＢＭＬデータ（例：図３２）でデータ放送コンテンツを構成したものであり、表示されたデータ放送は、主に、本放送を補完する役目を果たす。ここで、データ放送情報は、前記のとおり、本放送情報と多重化して送信される。よって、データ放送情報取得部（０１０４）が、「本放送情報と分離してデータ放送情報を取得」する手段としては、例えば、本放送情報取得部（０１０１）がデジタルＴＶ・ラジオチューナを介して取得したデジタル放送波からデータ放送情報を分離し、取得してもよい。または、オンタイムでの番組放送が終了した後に、放送局のサーバなどに保存されているデータ放送情報を、単独で携帯通信網を介して取得してもよい。
【００３６】
「データ放送情報蓄積部」（０１０５）は、データ放送情報取得部（０１０４）にて取得したデータ放送情報を蓄積するよう構成されている。データ放送情報蓄積部（０１０５）は、データ放送情報を、図２（Ａ）に示すように複数のＢＭＬデータのまままで蓄積するほか、図２（Ｂ）に示すようにＢＭＬデータをＶＲＡＭ上で展開した後に、ＶＲＡＭ上のＢＭＬデータが別のＢＭＬデータに変化したタイミングでキャプチャして、ＪＰＥＧデータとして蓄積できてもよい。この時、キャプチャしたＪＰＥＧデータの内容としては、データ放送の内容のみからなってもよいし、データ放送の中に本放送の内容が混じっていてもよい。なお、キャプチャしたＪＰＥＧデータは、キャプチャした順番を識別できるように保存するのが望ましい。ＢＭＬデータのまま蓄積されたデータ放送情報は、一般的には、直ぐに、後に説明するデータ放送表示部（０１０６）で画面にデータ放送を表示するために利用されたり、または、後日、データ放送表示部（０１０６）で利用するために、そのまま蓄積されたりする。蓄積後直ぐにデータ放送を画面に表示するためにデータ放送表示部（０１０６）で利用されたデータ放送情報は、利用後直ぐに消去されてもよい。なお、データ放送情報蓄積部（０１０５）は、蓄積するデータ放送情報に、蓄積する番組を識別するための情報（例：「放送日時」、「ＣＨ」、「番組名」など）を付与して蓄積できてもよい。
【００３７】
「データ放送表示部」（０１０６）は、データ放送を画面に表示するよう構成されている。すなわち、データ放送表示部（０１０６）は、データ放送情報蓄積部（０１０５）より、ＢＭＬデータのデータ放送情報を取得するよう構成されている。なお、データ放送情報取得部（０１０４）より、直接データ放送情報を取得するよう構成されてもよい。そして、取得したデータ放送情報にデコード処理などの所定の処理を行った後、画面にデータ放送を出力するよう構成されている。
【００３８】
「スライド表示部」（０１０７）は、データ放送情報蓄積部（０１０５）に蓄積されたデータ放送情報に基づいて、データ放送画面をスライドショー形式で表示できるよう構成されている。ここで、スライドショー表示に利用されるデータ放送情報は、ＢＭＬデータで蓄積されているもののほか、ＪＰＥＧデータで蓄積されているものも利用可能である。スライドショー表示を実現する具体的手段としては、例えば、スライド表示部（０１０７）は蓄積されているＢＭＬデータ、または、ＪＰＥＧデータを取り出すと、所定時間ごとに、または、利用者のスライド指示信号取得をトリガに、所定の順でデータ放送情報をＶＲＡＭ上で展開し、画面に出力することで実現できる。
【００３９】
ここで、スライドショー表示部（０１０７）は、蓄積されているデータ放送情報のすべてのデータを利用して、スライドショー表示してもよいし、一部を利用してスライドショー表示できてもよい。データ放送情報の一部を利用してスライドショー表示する場合は、スライドショー表示するデータを利用者が選択できるよう構成してもよい。利用者がスライドショー表示するデータを選択する手段としては、以下のようなものが考えられる。例えば、複数のデータをサムネイル画像のように画面上で一覧表示し、その画面において希望する画像を選択できるように構成してもよい。または、利用者が「番組連動のデータ放送」や、「番組非連動のデータ放送」などのような属性でスライドショー表示するデータを選択できるよう構成してもよい。さらに、「番組非連動のデータ放送」の場合は、「ニュース」、「スポーツ」、「天気予報」などの属性でスライドショー表示するデータを選択できるよう構成されていてもよい。当該構成を実現する手段としては、ＢＭＬデータをスライドショー表示する場合は、例えば、ＢＭＬデータの記載内容から、各データの内容を判断することで実現できる。また、ＪＰＥＧデータをスライドショー表示する場合は、例えば、キャプチャしたデータをデータ放送情報蓄積部（０１０５）で蓄積する際に、ＢＭＬデータの記載内容からそのデータの内容を判断し、そのデータが番組連動か否か、また、番組非連動の場合はどのような分類の情報か（「ニュース」、「スポーツ」、「天気予報」など）、などを識別する情報を付加しておく。そして、スライド表示部（０１０７）は、その情報を読み取ることで、それぞれのデータが番組連動か否かなどを識別してもよい。
【００４０】
ここで、スライドショー表示部（０１０７）は、所定時間ごとに、または、利用者のスライド指示信号取得をトリガに画面に出力するデータを変更し、スライドショー表示を実現するが、所定時間ごとに画面に出力するデータを変更する手段としては、以下のような例が考えられる。例えば、本放送と同期して表示される時には、図３３（Ａ）に示すようなタイミングでデータ放送が表示される場合、図３３（Ｂ）に示すように、そのタイミングに従ってスライドショー表示してもよい。このようにスライドショー表示した場合、すべてのデータを見るために、実際の放送時間と同じ時間を要することとなる。そこで、各データを表示する時間の比率は一定のままで、すべてのデータを見るための時間を短縮してスライドショー表示できてもよい。例えば、図３３（Ａ）のデータすべてを視聴するには６０分要する場合、そのデータすべてを５分に短縮してスライドショー表示してもよい。このとき、６０分ですべてのデータを視聴する場合に、Ｔ１の間、表示されるデータは、５分ですべてのデータ放送を視聴する際には、Ｔ１×（５分／６０分）に表示される時間が短縮される。
【００４１】
その他の例としては、図３３（Ｃ）に示すように、一定時間ごと（例：「５秒」、「１５秒」など）に、スライドショー表示してもよい。この時の一定時間は、予め商品の出荷段階から定められていてもよいし、利用者が設定可能に構成されていてもよい。
【００４２】
その他の「所定時間ごと」の例としては、図３３（Ｄ）に示すように、表示するデータの文字数に応じて、それぞれのデータを表示する時間を変更してスライド表示してもよい。具体的には、文字数の多い場合に長い時間表示するようにし、文字数の少ない場合には短い時間表示するように構成する。当該スライド表示を実現する手段としては、スライド表示部（０１０７）は、データの文字数に応じて表示時間を定める情報（例：「０〜５０字→５秒」、「５１〜１００字→１０秒」など）を保持しておき、当該情報に従って、各データを表示する時間を特定することで実現できる。なお、データの文字数に応じて定められる表示時間は、予め商品の出荷段階から定められていてもよいし、利用者が設定可能に構成されていてもよい。
【００４３】
＜実施形態１のハードウェア構成＞
【００４４】
図３は、上記機能的構成をハードウェアとして実現した際の構成の一例を表す図である。図に示すように、データ放送対応携帯視聴端末は、「本放送情報取得部」、「本放送情報蓄積部」、「本放送表示部」、「データ放送情報取得部」、「データ放送情報蓄積部」、「データ放送表示部」、「スライド表示部」などを構成する「ＣＰＵ」（０３０１）、「ＲＡＭ」（０３０２）、「不揮発性メモリ」（０３０３）、「ＶＲＡＭ」（０３０４）、「ディスプレイ」（０３０５）、「ユーザＩ／Ｆ」（０３０６）、「デジタルＴＶ・ラジオチューナ」（０３０７）、「ネットワークＩ／Ｆ」（０３０８）、「ＨＤＤ」（０３０９）、「バス」（０３１０）などを備えている。
【００４５】
以下に、図３のハードウェア図で本実施形態を実現する手段の一例を説明する。
【００４６】
まず、ＲＡＭ（０３０２）に展開されたデジタル放送取得プログラムに従い、デジタルＴＶ・ラジオチューナ（０３０７）を介して、デジタル放送波を取得すると、ＲＡＭ（０３０２）のデータ領域に保存する。そして、デジタル放送波の中から本放送情報とデータ放送情報を取り出す。その後、ＲＡＭ（０３０２）に展開された放送記録プログラムに従い、本放送情報、データ放送情報に番組識別情報を付して、ＨＤＤ（０３０９）に保存する。
【００４７】
そして、データ放送をスライドショー形式で表示する指示信号をユーザＩ／Ｆ（０３０６）を介して取得すると、ＲＡＭ（０３０２）に展開されたスライドショープログラムに従い、スライドショーするデータ放送の番組識別情報を認識し、その情報で特定されるデータ放送情報をＨＤＤ（０３０９）より取り出して、ＲＡＭ（０３０２）のデータ領域に保存する。その後、スライドショープログラムに従い、データ放送情報の中から、最初に表示するＢＭＬデータを取り出し、デコード処理などの所定の処理を行った後、ＶＲＡＭ（０３０４）に展開する。そして、それをディスプレイ（０３０５）に出力する。その後、一定時間カウント後、または、利用者が入力したスライド指示信号をユーザＩ／Ｆ（０３０６）を介して取得したのをトリガに、ＲＡＭ（０３０２）に保存されているデータ放送情報の中から、次に表示するＢＭＬデータを取り出して、デコード処理などの所定の処理を行った後、ＶＲＡＭ（０３０４）に展開する。そして、ディスプレイ（０３０５）に出力する。
【００４８】
なお、データ放送情報がＪＰＥＧデータとして保存されている場合にも、前記に準じた処理で実現することができる。
＜実施形態１の処理の流れ＞
【００４９】
本実施形態の処理の流れの一例を図４のフローチャートに示す。
【００５０】
まず、スライドショー開始指示信号を取得すると（Ｓ０４０１）、スライドショーする番組を識別する情報を取得し（Ｓ０４０２）、その番組識別情報で特定されるデータ放送情報をＨＤＤより取り出す（Ｓ０４０３）。
【００５１】
そして、データ放送情報の中から、最初に表示するＢＭＬデータを取り出し（Ｓ０４０４）、画面に出力する（Ｓ０４０５）。
【００５２】
その後、一定時間カウントし終えると（Ｓ０４０６）、データ放送情報の中から、次に表示するＢＭＬデータを取り出し（Ｓ０４０７）、画面に出力する（Ｓ０４０８）。
【００５３】
その後、スライドショー終了指示信号を取得するまで、一定時間をカウントし（Ｓ０４０６）、前記処理を繰り返す。
＜実施形態１の効果＞
【００５４】
本実施形態のデータ放送対応携帯視聴端末は、デジタルＴＶ・ラジオチューナを介して取得し、内部メモリに記録したデータ放送を、スライドショー形式で画面に表示することができる。
【００５５】
その結果、利用者は、データ放送を自己の希望するペースでスライド表示しながら閲覧し、本放送の番組概要を効率的に把握することが可能になる。
＜＜実施形態２＞＞
＜実施形態２の概要＞
【００５６】
本実施形態のデータ放送対応携帯視聴端末は、実施形態１を基本とし、さらに、図５に示すように、データ放送情報を利用してインデックス情報を生成し、それを利用してシーン検索などを行いながら、本放送やそれと同期したデータ放送を効率的に視聴することができることを特徴とする。
＜実施形態２の機能的構成＞
【００５７】
図６は、本実施形態の放送受信装置の機能ブロックの一例を表す図である。この図にあるように本実施形態の「データ放送対応携帯視聴端末」（０６００）は、「本放送情報取得部」（０６０１）と、「本放送情報蓄積部」（０６０２）と、「本放送表示部」（０６０３）と、「データ放送情報取得部」（０６０４）と、「データ放送情報蓄積部」（０６０５）と、「データ放送表示部」（０６０６）と、「スライド表示部」（０６０７）と、「インデックス情報生成部」（０６０８）と、「本放送表示制御部」（０６０９）を有する。また、「本放送情報編集部」（０６１０）、「インデックス情報外部出力部」（０６１１）を有してもよい。
【００５８】
「データ放送対応携帯視聴端末」（０６００）と、「本放送情報取得部」（０６０１）と、「本放送情報蓄積部」（０６０２）と、「本放送表示部」（０６０３）と、「データ放送情報取得部」（０６０４）と、「データ放送情報蓄積部」（０６０５）と、「データ放送表示部」（０６０６）と、「スライド表示部」（０６０７）については、実施形態１と同様であるので、ここでの詳細な説明は省略する。以下、「インデックス情報生成部」（０６０８）と、「本放送表示制御部」（０６０９）と、「本放送情報編集部」（０６１０）と、「インデックス情報外部出力部」（０６１１）の機能的構成について説明する。
【００５９】
「インデックス情報生成部」（０６０８）は、データ放送情報を利用してインデックス情報を生成するよう構成されている。ここで生成されるインデックス情報は、本放送情報のインデックス情報である。本放送に連動しているデータ放送の場合、データ放送の内容を確認することで、本放送でどのような内容が放送されていたか把握することが可能である。本実施形態のインデックス情報は、かかる点に着目し、本放送を効率的に視聴するために生成されたものである。具体的には、図５（０５０１）に示すように、記録している本放送の番組識別情報（例：「放送日時」、「ＣＨ」、「番組名」など）と、その本放送と同期して表示されるデータ放送の各画像と、データ放送の各画像を本放送と同期して表示するタイミングを特定する情報（以下、「タイミング情報」という。）などからなる。インデックス情報として使用されるデータ放送の画像としては、データ放送情報蓄積部（０６０５）が蓄積しているＢＭＬデータや、ＪＰＥＧデータを利用することができる。タイミング情報を取得する手段としては、本放送を開始したタイミングまたは本放送の記録を開始したタイミングをスタート（０）として、次のＢＭＬデータを表示した際の経過タイムや、次のＢＭＬデータを取得した際の経過タイム、ＪＰＥＧデータを生成した際の経過タイムなどを測定し、取得した経過タイムをタイミング情報として利用してもよい。経過タイムを測定する手段としては、ＧＰＳ時刻や電波放送に含まれる時刻、ユーザ設定時刻などを利用できる。タイミング情報を取得するその他の手段としては、放送局などから番組のタイムスケジュールを取得し、そこからデータ放送の各画像を表示するタイミング情報を取得してもよい。
【００６０】
なお、インデックス情報は、利用者が編集できるよう構成されてもよい。これは、以下のすべての実施形態においても同様である。編集内容としては、インデックス情報を消去したり、以下の実施例で説明するレイアウト変更情報や枠別インデックス情報やアドレス情報などを書き込んだり消去したりする処理が考えられる。
【００６１】
「本放送表示制御部」（０６０９）は、インデックス情報を利用して、本放送表示部（０６０３）での表示を制御するよう構成されている。「本放送の表示の制御」とは、ＨＤＤに記録された後、本放送表示部（０６０３）で再生表示される本放送を、頭出し再生したり、早送りしたり、巻き戻ししたり、する処理をいう。本放送表示制御部（０６０９）がインデックス情報を利用して表示を制御する手段としては、以下のような例が考えられる。例えば、図５（Ａ）に示すように、ある番組のデータ放送情報を利用してスライドショー表示している際に、あるＢＭＬデータ（例：「ＢＭＬ２」）を利用して表示しているデータ放送画面において、本放送を再生する指示信号を取得したとする。すると、本放送表示制御部（０６０９）は、スライドショー表示している番組識別情報を取得し、その番組識別情報と一致する本放送情報をＨＤＤより取り出す。また、インデックス情報を利用して、表示中のＢＭＬデータ（例：「ＢＭL２」）のタイミング情報（例：「０：０１：２９」）を取得する。そして、そのタイミング情報を引数として、本放送を頭出しし、図５（Ｂ）に示すように、そのタイミングから再生表示する。その他の例としては、例えば、本放送を再生中に、インデックス情報のタイミング情報で特定される場面まで、早送り、巻き戻しができてもよい。タイミング情報は、データ放送の内容が変更するタイミングを特定するものであり、すなわち、本放送のスポーツ番組の得点シーンや、番組のコーナー変更、ＣＭタイミングなどを特定するものである。なお、頭出しのタイミングや、早送り、巻き戻しをストップするタイミングとしては、タイミング情報で特定されるタイミングのほか、タイミング情報で特定されるタイミングの一定時間前（例：「３０秒前」、「１分前」、「５分前」など）でもよい。具体的には、図５（Ａ）の場面から本放送を再生する指示信号を取得すると、タイミング情報（例：「０：０１：２９」）で特定されるタイミングの３０秒前（例：「０：００：５９」）から頭出し再生してもよい。スポーツ番組などの場合は、データ放送が変化するタイミング（例：「得点シーン」）より少し前から視聴することを望むと考えられるからである。このようなタイミング情報に基づく頭出し再生タイミングなどについては、利用者が選択入力できるよう構成されてもよい。
【００６２】
なお、本放送表示部（０６０３）が本放送表示制御部（０６０９）により制御され、本放送の表示をしている場合でも、データ放送表示部（０６０６）は、本放送と関連付けられているデータ放送を、本放送と同期して表示するよう構成されている。これは、以下のすべての実施形態において同様である。
【００６３】
「本放送情報編集部」（０６１０）は、インデックス情報をパラメータとして本放送情報を編集できるよう構成されている。「放送情報の編集」としては、例えば、記録している本放送の一部を切り取ったり、コピーして別の情報を生成したりする処理などが考えられる。具体的には、例えば、記録したスポーツ番組を編集する場合、すべてのタイミング情報で特定されるタイミングの前後２分ずつを切り取ってつなぎ合わせ、新たな本放送情報として保存してもよい。当該編集により、得点シーンなどを集めたダイジェストが生成されることとなる。または、あるタイミング情報で特定されるタイミングから、次のタイミング情報で特定されるタイミングまでの本放送を切り取って、保存してもよい。
【００６４】
「インデックス情報外部出力部」（０６１１）は、インデックス情報を外部出力するよう構成されている。外部出力する手段としては、例えば、メールに添付して出力できてもよいし、携帯端末装置を外部機器に接続した通信により出力できてもよいし、赤外線通信やＲＦＩＤなどを利用した無線通信などにより他の機器に出力できてもよい。インデックス情報を取得した外部機器は、インデックス情報に含まれる番組識別情報を利用して、自己が保存している本放送情報やデータ放送情報と関連付けて利用できてもよい。外部機器としては、データ放送対応携帯視聴端末に限らず、データ放送対応ＴＶ、それと接続可能なビデオ、ＰＣ、サーバなどでもよい。赤外線通信やインターネット経由などによりこれらの外部機器と通信可能なデータ放送対応携帯視聴端末が、これらの外部機器と同じインデックス情報を共有した場合、データ放送対応携帯視聴端末を利用して、頭出し再生指示信号などをこれらの外部機器に送信できるよう構成されてもよい。
【００６５】
なお、ＪＰＥＧデータのデータ放送情報を利用した場合にも、前記に準じて同様の処理を実現することができる。
＜実施形態２のハードウェア構成＞
【００６６】
以下、図７のハードウェア図で本実施形態を実現する手段の一例を説明する。
【００６７】
データ放送をスライドショー形式で表示する指示信号をユーザＩ／Ｆ（０７０６）を介して取得すると、ＲＡＭ（０７０２）に展開されたスライドショープログラムに従い、入力信号を解析してスライドショーする番組の識別情報を取得し、その情報で特定されるデータ放送情報をＨＤＤ（０７０９）より取り出して、ＲＡＭ（０７０２）のデータ領域に保存する。その後、スライドショープログラムに従い、データ放送情報の中から、最初に表示するＢＭＬデータを取り出し、デコード処理などの所定の処理を行った後、ＶＲＡＭ（０７０４）に展開する。そして、それをディスプレイ（０７０５）に出力する。
【００６８】
その後、あるＢＭＬデータを表示している際に、その場面から本放送を開始するための指示信号をユーザＩ／Ｆ（０７０６）を介して取得すると、ＲＡＭ（０７０２）に展開された頭出し再生プログラムに従い、そのデータ放送情報の番組識別情報と一致する本放送情報を、ＨＤＤ（０７０９）から取り出して、ＲＡＭ（０７０２）のデータ領域に保存する。また、表示されていたＢＭＬデータのＩＤを識別し、インデックス情報を利用して、タイミング情報を取得する。そして、取得したタイミング情報で特定される本放送情報のデータを取り出し、デコード処理などの所定の処理を行った後、ＶＲＡＭ（０７０４）に展開する。そして、それをディスプレイ（０７０５）に出力する。その後、それ以降のデータを順次デコード処理等行い、ＶＲＡＭ（０７０４）に展開して、ディスプレイ（０７０５）に出力する
【００６９】
なお、ＪＰＥＧデータのデータ放送情報を利用した場合にも、前記に準じた処理で実現することができる。
＜実施形態２の処理の流れ＞
【００７０】
本実施形態の処理の流れの一例を図８のフローチャートに示す。
【００７１】
まず、スライドショー開始指示信号を取得すると（Ｓ０８０１）、スライドショーする番組を識別し（Ｓ０８０２）、ＨＤＤよりその番組のデータ放送情報を取り出す（Ｓ０８０３）。そして、取り出したデータ放送情報を利用して、スライドショー表示を行う（Ｓ０８０４）。
【００７２】
その後、本放送の頭出し再生を開始する指示信号を取得すると（Ｓ０８０５）、スライドショー表示しているデータ放送の番組識別情報と一致する本放送情報をＨＤＤより取り出す（Ｓ０８０６）。また、表示しているＢＭＬデータのＩＤを認識し（Ｓ０８０７）、インデックス情報を利用して、そのＢＭＬデータのタイミング情報を取得する（Ｓ０８０８）。
【００７３】
そして、取り出した本放送情報を利用して、タイミング情報を引数とし、頭出し再生を開始する（Ｓ０８０９）。
【００７４】
なお、ＪＰＥＧデータのデータ放送情報を利用した場合にも、前記に準じた処理で実現することができる。
＜実施形態２の効果＞
【００７５】
本実施形態のデータ放送対応携帯視聴端末は、データ放送情報を利用してインデックス情報を生成し、それを利用して、シーン検索などを行いながら、本放送を効率的に視聴することができる。
【００７６】
その結果、利用者は、データ放送を利用してスポーツ番組の得点シーンや番組のコーナー変化点などを容易に認識し、希望する時点から本放送の再生視聴を行うことが可能となる。
＜＜実施形態３＞＞
＜実施形態３の概要＞
【００７７】
本実施形態のデータ放送対応携帯視聴端末は、実施形態１、２を基本とし、さらに、データ放送のレイアウトが変化した時点においても、インデックス情報を生成する。そして、生成したインデックス情報を利用してシーン検索などを行いながら、本放送やそれと同期したデータ放送を効率的に視聴することができることを特徴とする。
＜実施形態３の機能的構成＞
【００７８】
図９は、本実施形態の放送受信装置の機能ブロックの一例を表す図である。この図にあるように本実施形態の「データ放送対応携帯視聴端末」（０９００）は、「本放送情報取得部」（０９０１）と、「本放送情報蓄積部」（０９０２）と、「本放送表示部」（０９０３）と、「データ放送情報取得部」（０９０４）と、「データ放送情報蓄積部」（０９０５）と、「データ放送表示部」（０９０６）と、「スライド表示部」（０９０７）と、「インデックス情報生成部」（０９０８）と、「本放送表示制御部」（０９０９）を有する。また、「インデックス情報生成部」（０９０８）は、「レイアウト識別手段」と「レイアウトインデックス生成手段」を有する。なお、「データ放送対応携帯視聴端末」（０９００）は、「本放送情報編集部」を有してもよい。
【００７９】
「データ放送対応携帯視聴端末」（０９００）と、「本放送情報取得部」（０９０１）と、「本放送情報蓄積部」（０９０２）と、「本放送表示部」（０９０３）と、「データ放送情報取得部」（０９０４）と、「データ放送情報蓄積部」（０９０５）と、「データ放送表示部」（０９０６）と、「スライド表示部」（０９０７）については、実施形態１などと同様であるので、ここでの詳細な説明は省略する。以下、「インデックス情報生成部」（０９０８）の「レイアウト識別手段」と「レイアウトインデックス生成手段」の機能的構成について説明する。
【００８０】
インデックス情報生成部（０９０８）の「レイアウト識別手段」は、データ放送情報に基づいて表示されるデータ放送画面のレイアウトの変更を識別するよう構成されている。ここでの「レイアウト」とは、データ放送で提供する文字や数字からなるテキスト情報を整理して表示するための表や枠、図形などをさす。よって、レイアウト識別手段は、単なるテキスト情報の変更は識別しない。レイアウトの変更の具体例としては、例えば、図１０（Ａ）のように、野球番組を放送中に表示されている「スコアボード」や「カウント表示」などのレイアウトが、ＣＭになった際に、消える場合などが考えられる。または、図１０（Ｂ）のように、放送番組を放送中に表示されているレイアウトが、コーナー変更のタイミングで、変化する場合なども考えられる。レイアウトの変更を識別する具体的手段としては、例えば、ＪＰＥＧデータのデータ放送情報を利用して、画像認識技術により識別してもよい。または、ＢＭＬデータ（図３２）のデータ放送情報を解析して、タイトル情報（「ｔｉｔｌｅ」タグで特定される情報）（３２０１）や、メインコンテンツ（「ｂｏｄｙ」タグで特定される情報）（３２０２）などの表示態様（以下、「スタイル情報という」）（「ｓｔｙｌｅ」タグで特定される情報）（３２０３）を認識し、当該情報が変更したか否かを判別することでレイアウト変更を識別してもよい。
【００８１】
インデックス情報生成部（０９０８）の「レイアウトインデックス手段」は、データ放送画面のレイアウト変更情報をもインデックス情報として生成するよう構成されている。図１１に生成したインデックス情報の一例を示す。図に示すように、レイアウトインデックス手段は、レイアウトが変更したタイミングを識別できるようにインデックス情報を生成する（１１０１）。なお、レイアウトインデックス手段は、ＢＭＬデータのタグ情報を利用して、レイアウトが変更した際の、変更内容（例：「コーナー変化」、「ＣＭ開始」、「ＣＭ終了」など）を識別し、当該内容もインデックス情報として生成するよう構成されてもよい（１１０２）。具体的にはＢＭＬデータ（図３２）の「タイトル情報」を識別し、レイアウトが変更した際にタイトル情報が変更したか否か判別する。そして、タイトル情報が番組放送時のもの（例：「おはよう日本」）と異なった場合には、ＣＭ開始と判断して当該旨のインデックス情報を生成する（１１０３）。そして、再び、タイトル情報が番組放送の内容に戻った場合には、ＣＭが終了したと判断して当該旨のインデックス情報を生成してもよい（１１０４）。また、レイアウトが変更した際に、タイトル情報が変更しなかった場合には、番組内でコーナーが変化したと判断して当該旨のインデックス情報を生成してもよい（１１０５）。その他の例としては、データ放送をスライドショー形式で表示中、または、本放送と同期して表示中に（オンタイム視聴、再生視聴いずれも含む）、ＣＭが画面に表示されている状態で利用者がＣＭ識別信号を入力すると、当該信号をトリガに表示中のＢＭＬデータのタイトル情報を取得し、ＣＭタイトル情報として内部メモリに保存してもよい。そして、取得したＣＭタイトル情報は消去せず内部メモリに蓄積していく。それ以降、蓄積されたＣＭタイトル情報を利用し、同じタイトル情報が付与されているＢＭＬデータはすべてＣＭと判断してもよい。このようにして、蓄積されたＣＭタイトル情報は、スライド表示部（０９０７）も利用可能に構成していてもよい。そして、スライド表示部（０９０７）は、ＢＭＬデータを利用してスライド表示する際に、ＣＭタイトル情報が付与されているＢＭＬデータについては表示せず、その他のＢＭＬデータのみでスライド表示するよう構成されてもよい。または、ＣＭタイトル情報が付与されているＢＭＬデータは表示せず、変わりに、「ＣＭ」というテキスト情報のみを表示してもよい。なお、前記手段は、「ｔｉｔｌｅ」タグで特定される情報の他、「ｌｉｎｋ」、「ｍｅｔａ」、「ｂｅｖｅｎｔ」、「ｂｅｉｔｅｍ」、「ｓｃｒｉｐｔ」などのタグで特定される情報を利用して、前記と同様の手段などで実現してもよい。
【００８２】
かかる場合、本放送表示制御部（０９０９）は、レイアウトインデックス情報を利用して、本放送表示部（０９０３）での表示を制御することができる。具体的には、レイアウトが変更した時点まで順次早送りしたり、巻き戻ししたり、そこから頭出し再生したりできる。また、本放送情報編集部は、レイアウトインデックス情報を利用して、本放送情報を編集することができる。具体的には、ＣＭ部分を切り取り、ＣＭだけをつなぎ合わせた放送情報を生成したり、ＣＭを抜き取って他の部分をつなぎ合わせた放送情報を生成したりすることなどができる。
＜実施形態３のハードウェア構成＞
【００８３】
以下、図１２のハードウェア図で本実施形態を実現する手段の一例を説明する。
【００８４】
まず、ＲＡＭ（１２０２）に展開されたデジタル放送取得プログラムに従い、デジタルＴＶ・ラジオチューナ（１２０７）を介して、デジタル放送波を取得すると、ＲＡＭ（１２０２）のデータ領域に保存する。そして、デジタル放送波の中からデータ放送情報（ＢＭＬデータ）を取り出す。その後、ＲＡＭ（１２０２）に展開されたインデックス生成プログラムに従い、ＢＭＬデータの中から、タイトルのスタイル情報を取り出し、ＲＡＭ（１２０２）のデータ領域に保存する。その後、ＲＡＭ（１２０２）に展開されたデジタル放送取得プログラムに従い、前記と同様の手段で、次に表示するＢＭＬデータを取得すると、同様にスタイル情報を取り出して、ＲＡＭ（１２０２）のデータ領域に保存する。そして、二つのスタイル情報を比較処理する。比較の結果が、「一致」である場合、ＢＭＬデータＩＤにタイミング情報のみを記載したインデックス情報を生成し、ＲＡＭ（１２０２）のデータ領域に保存する。一方、比較の結果が、「不一致」である場合、ＢＭＬデータＩＤにタイミング情報と、レイアウト変更を識別するための情報を記載したインデックス情報を生成し、ＲＡＭ（１２０２）のデータ領域に保存する。
【００８５】
その後、次に取得するＢＭＬデータに対しても同様の処理を行い、ＲＡＭ（１２０２）に保存されているインデックス情報に書き加えていく。
【００８６】
データ放送情報がＪＰＥＧデータの場合には、キャプチャした順に、画像認識技術を使用してレイアウトの変更を判断し、前記と同様の手順で、インデックス情報を生成する。
＜実施形態３の処理の流れ＞
【００８７】
本実施形態の処理の流れの一例を図１３のフローチャートに示す。
【００８８】
まず、データ放送情報を取得すると（Ｓ１３０１）、当該情報を保存する。そして、次のデータ放送情報を取得すると（Ｓ１３０２）、先のデータ放送情報と比較し、レイアウトが変更しているか判断する（Ｓ１３０３）。
【００８９】
レイアウトが変更している場合には（Ｓ１３０４）、レイアウト変更情報をインデックス情報として生成する（Ｓ１３０５）。一方、レイアウトが変更していない場合には（Ｓ１３０４）、レイアウト変更情報を含まないインデックス情報を生成する（Ｓ１３０６）。
【００９０】
その後、データ放送情報の取得を終了するまで（Ｓ１３０７）、前記の処理を繰り返す。
＜実施形態３の効果＞
【００９１】
本実施形態のデータ放送対応携帯視聴端末は、データ放送のレイアウトが変化したか判断し、当該情報を利用してインデックス情報を生成する。
【００９２】
その結果、利用者は、番組のコーナー変化タイミングやＣＭ開始・終了タイミングなどから、本放送の再生視聴などを行うことが可能となる。
＜＜実施形態４＞＞
＜実施形態４の概要＞
【００９３】
本実施形態のデータ放送対応携帯視聴端末は、実施形態１から３を基本とし、さらに、データ放送の特定部分のみの表示変化を検知し、当該情報を利用してインデックス情報を生成する。そして、生成したインデックス情報を利用してシーン検索などを行いながら、本放送やそれと同期したデータ放送を効率的に視聴することができることを特徴とする。
＜実施形態４の機能的構成＞
【００９４】
図１４は、本実施形態の放送受信装置の機能ブロックの一例を表す図である。この図にあるように本実施形態の「データ放送対応携帯視聴端末」（１４００）は、「本放送情報取得部」（１４０１）と、「本放送情報蓄積部」（１４０２）と、「本放送表示部」（１４０３）と、「データ放送情報取得部」（１４０４）と、「データ放送情報蓄積部」（１４０５）と、「データ放送表示部」（１４０６）と、「スライド表示部」（１４０７）と、「インデックス情報生成部」（１４０８）と、「本放送情報制御部」（１４０９）を有する。また、「データ放送表示部」（１４０６）は「枠表示手段」を、「インデックス情報生成部」（１４０８）は、「枠別インデックス生成手段」を有する。なお、「本放送情報編集部」を有してもよい。
【００９５】
「データ放送対応携帯視聴端末」（１４００）と、「本放送情報取得部」（１４０１）と、「本放送情報蓄積部」（１４０２）と、「本放送表示部」（１４０３）と、「データ放送情報取得部」（１４０４）と、「データ放送情報蓄積部」（１４０５）と、「スライド表示部」（１４０７）と、「本放送情報制御部」（１４０９）については、実施形態１などと同様であるので、ここでの詳細な説明は省略する。以下、「データ放送表示部」（１４０６）の「枠表示手段」と、「インデックス情報生成部」（１４０８）の「枠別インデックス生成手段」の機能的構成について説明する。
【００９６】
「データ放送表示部」（１４０６）の「枠表示手段」は、表示されるデータ放送の一部分を特定するための枠を表示するよう構成されている。表示する枠の形は、丸、三角、四角、その他の多角形などいかなるものでもよいが、データ放送の構成上、四角であることが望ましい。また、表示する枠の数は特段制限されず、一個でも、二個以上でもよい。表示する数は、利用者の操作に応じて増減できるよう構成されてもよい。表示する枠の大きさは、画面内に収まるものであれば特段制限されない。利用者が枠の大きさを自由に変更できるよう構成されていてもよい。利用者が枠の大きさ変更を入力する手段としては、タッチパネル方式や、操作キーを利用した数値入力などが考えられる。または、図１５に示すように、枠表示手段が、表示されている文字列、図形、図表などに応じて、自動的に枠の大きさを設定して、表示するよう構成されていてもよい。そして、利用者の操作に応じて、表示する枠を変更するよう構成されてもよい。かかる手段は、ＢＭＬデータを利用して、表示される各文字列、図形、図表の位置、大きさなどを識別する。そして、当該情報を利用して、表示する枠の位置、大きさを決定することで実現できる。
【００９７】
インデックス情報生成部（１４０８）の「枠別インデックス生成手段」は、枠表示手段により表示された枠で特定された部分に表示されるデータ放送情報を利用して、インデックス情報を生成するよう構成されている。具体的には、「枠別インデックス生成手段」は、枠で特定された部分に表示されるデータ放送情報を取得するよう構成されている。この時のデータ放送情報としては、ＢＭＬデータでもＪＰＥＧデータでもよい。そして、「枠別インデックス生成手段」は、枠で特定された部分の表示が変更されたかを検知する。そして、表示が変更されている場合には、その旨を識別するための情報を記載したインデックス情報（図１６）を生成する。なお、「枠で特定された部分の表示の変更を検知」する手段としては、データ放送情報がＢＭＬデータである場合は、ＶＲＡＭ上で展開されているデータから、枠で特定される文字列、図形、図表などを特定する。その後、ＢＭＬデータ内で、特定された文字列などを表示するための記述を特定する。そして、その記述が変更したか否かを判別することで実現してもよい。また、データ放送情報がＪＰＥＧデータである場合は、ＶＲＡＭ上で展開されているデータから、枠で特定される部分の位置、大きさを特定し、枠情報として保存する。そして、枠情報を利用して、ＪＰＥＧデータの中で変更を検知する部分を特定し、画像認識技術を利用して表示が変更したか否かを判別することで実現してもよい。
【００９８】
かかる場合、本放送表示制御部（１４０９）は、枠別インデックス情報を利用して、本放送表示部（１４０３）での表示を制御することができる。具体的には、枠内の表示が変更した時点まで順次早送りしたり、巻き戻ししたり、そこから頭出し再生したりできる。また、本放送情報編集部は、枠別インデックス情報を利用して、本放送情報を編集することができる。
＜実施形態４のハードウェア構成＞
【００９９】
以下、図１７のハードウェア図で本実施形態を実現する手段の一例を説明する。
【０１００】
まず、ＲＡＭ（１７０２）に展開されたデジタル放送取得プログラムに従い、デジタルＴＶ・ラジオチューナ（１７０７）を介して、デジタル放送波を取得すると、ＲＡＭ（１７０２）のデータ領域に保存する。そして、ＲＡＭ（１７０２）に展開されたデータ放送表示プログラムに従い、デジタル放送波の中からデータ放送情報（ＢＭＬデータ）を取り出してＶＲＡＭ（１７０４）に展開し、ディスプレイ（１７０５）に出力する。また、ＶＲＡＭ（１７０４）に展開されたデータをキャプチャして、ＪＰＥＧデータに変換し、データ放送情報としてＲＡＭ（１７０２）のデータ領域に保存する。
【０１０１】
その後、枠表示信号をユーザＩ／Ｆ（１７０６）を介して取得すると、ＲＡＭ（１７０２）に展開された枠表示プログラムに従い、ＶＲＡＭ（１７０４）に枠データを展開し、ディスプレイ（１７０５）に出力する。そして、インデックスを生成するための枠として決定する信号をユーザＩ／Ｆ（１７０６）を介して取得すると、ＶＲＡＭ（１７０４）で展開されている枠データの位置、大きさを認識し、枠情報としてＲＡＭ（１７０２）のデータ領域に保存する。
【０１０２】
その後、ＲＡＭ（１７０２）に展開されたデジタル放送取得プログラムに従い、前記と同様の手段で、次に表示するＢＭＬデータを取得すると、ＶＲＡＭ（１７０４）に展開し、ディスプレイ（１７０５）に出力する。また、ＶＲＡＭ（１７０４）に展開されたデータをキャプチャして、ＪＰＥＧデータに変換し、データ放送情報としてＲＡＭ（１７０２）のデータ領域に保存する。
【０１０３】
すると、ＲＡＭ（１７０２）に展開された枠別インデックス生成プログラムに従い、枠情報を利用して、ＲＡＭ（１７０２）に保存されている前記２つのＪＰＥＧデータにおける枠内表示データを特定する。そして、特定した２つの表示データを比較処理する。比較の結果が、「一致」である場合、ＪＰＥＧデータＩＤにタイミング情報のみを記載したインデックス情報を生成し、ＲＡＭ（１７０２）のデータ領域に保存する。一方、比較の結果が、「不一致」である場合、ＪＰＥＧデータＩＤにタイミング情報と、枠内変更を識別するための情報を記載したインデックス情報を生成し、ＲＡＭ（１７０２）のデータ領域に保存する。
【０１０４】
その後、次に取得するデータ放送情報に対しても同様の処理を行い、ＲＡＭ（１７０２）に保存されているインデックス情報に書き加えていく。
【０１０５】
なお、前記は、データ放送情報がＪＰＥＧデータの場合について枠別インデックス情報を生成する手段の一例について説明したが、データ放送情報がＢＭＬデータの場合についても、前記に準じて枠別インデックス情報を生成することができる。
＜実施形態４の処理の流れ＞
【０１０６】
本実施形態の処理の流れの一例を図１８のフローチャートに示す。
【０１０７】
まず、データ放送情報を取得すると（Ｓ１８０１）、ディスプレイにデータ放送を出力する（Ｓ１８０２）。
【０１０８】
その後、ディスプレイにインデックス情報を生成するための枠を表示する指示信号を受け付けると（Ｓ１８０３）、ディスプレイに枠を表示する（Ｓ１８０４）。そして、表示している枠の位置、大きさ、数などの変更入力を受け付けると（Ｓ１８０５）、入力に従い、ディスプレイに表示する枠を変更する（Ｓ１８０６）。その後、表示している枠を、インデックス情報を生成する枠として決定する入力を取得すると（Ｓ１８０７）、その枠に関する情報（位置、大きさなど）を取得し、保存する（Ｓ１８０８）。
【０１０９】
そして、次のデータ放送情報を取得すると（Ｓ１８０９）、保存している枠情報を利用して（Ｓ１８１０）、枠内に表示されるデータを特定し、先のデータと変更したか判断する（Ｓ１８１１）。
【０１１０】
判断の結果、枠内表示が変更している場合には（Ｓ１８１２）、枠内変更情報をインデックス情報として生成する（Ｓ１８１３）。一方、枠内表示が変更していない場合には（Ｓ１８１２）、枠内変更情報を含まないインデックス情報を生成する（Ｓ１８１４）。
【０１１１】
その後、次のデータ放送情報を取得すると（Ｓ１８１５）、前記の処理を繰り返す。
＜実施形態４の効果＞
【０１１２】
本実施形態のデータ放送対応携帯視聴端末は、データ放送の特定部分のみの変化を検知し、当該情報を利用してインデックス情報を生成する。
【０１１３】
その結果、利用者は、特定部分の変化点のみを容易に把握し、その変化点から本放送の再生視聴などを行うことが可能となる。
＜＜実施形態５＞＞
＜実施形態５の概要＞
【０１１４】
本実施形態のデータ放送対応携帯視聴端末は、実施形態１から４を基本とし、さらに、データ放送でメールアドレス、ＵＲＬ、電話番号、ファックス番号、ＩＰアドレスなどが表示されているか判断し、当該情報を利用してインデックス情報を生成する。そして、生成したインデックス情報を利用してシーン検索などを行いながら、本放送やそれと同期したデータ放送を効率的に視聴することができることを特徴とする。
＜実施形態５の機能的構成＞
【０１１５】
図１９は、本実施形態の放送受信装置の機能ブロックの一例を表す図である。この図にあるように本実施形態の「データ放送対応携帯視聴端末」（１９００）は、「本放送情報取得部」（１９０１）と、「本放送情報蓄積部」（１９０２）と、「本放送表示部」（１９０３）と、「データ放送情報取得部」（１９０４）と、「データ放送情報蓄積部」（１９０５）と、「データ放送表示部」（１９０６）と、「スライド表示部」（１９０７）と、「インデックス情報生成部」（１９０８）と、「本放送情報制御部」（１９０９）を有する。また、「インデックス情報生成部」（１９０８）は、「判断手段」と「アドレス情報インデックス生成手段」を有する。なお、「本放送情報編集部」を有してもよい。
【０１１６】
「データ放送対応携帯視聴端末」（１９００）と、「本放送情報取得部」（１９０１）と、「本放送情報蓄積部」（１９０２）と、「本放送表示部」（１９０３）と、「データ放送情報取得部」（１９０４）と、「データ放送情報蓄積部」（１９０５）と、「データ放送表示部」（１９０６）と、「スライド表示部」（１９０７）と、「本放送情報制御部」（１９０９）については、実施形態１などと同様であるので、ここでの詳細な説明は省略する。以下、「インデックス情報生成部」（１９０８）の「判断手段」と「アドレス情報インデックス生成手段」の機能的構成について説明する。
【０１１７】
インデックス情報生成部（１９０８）の「判断手段」は、データ放送情報にメールアドレス、ＵＲＬ、電話番号、ファックス番号、ＩＰアドレスなどのアドレス情報が含まれているか判断するよう構成されている。ここでのデータ放送情報は、ＢＭＬデータ、ＪＰＥＧデータのいずれでもよい。判断する具体的手段としては、例えば、判断手段は、「メールアドレス」、「ＵＲＬ」、「電話番号」、「ファックス番号」、「ＩＰアドレス」などの文字列データをアドレス情報キーワードとして保存しておき、データ放送情報の中にこれらの文字列が存在するか判別することで、アドレス情報が含まれるか判断してもよい。または、メールアドレス特有の文字列、「＠」、ＵＲＬ特有の文字列、「ｈｔｔｐ」、一般電話番号、ファックス番号特有の文字列「０から始まる１０桁の数字列、または、１０個の数字と２つのハイフン記号の組み合わせ、例：（０１２３４５６７８９）、（０１−２３４５−６７８９）、（０１２−３４５−６７８９）」、携帯電話番号特有の文字列「０から始まる１１桁の数字列または数字と２つのハイフン記号の組み合わせ、例：（０９０１２３４５６７６８）、（０９０−１２３４−５６７８）」、ＩＰアドレス特有の文字列「数字と３つのドット記号の組み合わせ、例：（０．１．２．３）、（０１．２３．４５．６７）、（０１．２３４．５６７．８９０）」がデータ放送情報の中に存在するか判別することで、アドレス情報が含まれるか判断してもよい。
【０１１８】
インデックス情報生成部（１９０８）の「アドレス情報インデックス生成手段」は、アドレス情報が含まれる場合は、アドレス情報をもインデックス情報として生成するよう構成されている。具体的には、「アドレス情報インデックス生成手段」は、「判断手段」での判断結果を識別可能に構成しておき、アドレス情報が含まれるとの判断結果であった場合には、その旨を識別するための情報を記載したインデックス情報（図２０）を生成する。なお、いずれのアドレス情報が含まれているのかを識別する情報をも記載したインデックス情報を生成するよう構成されてもよい。
【０１１９】
かかる場合、本放送表示制御部（１９０９）は、アドレス情報インデックスを利用して、本放送表示部（１９０３）での表示を制御することができる。具体的には、データ放送でアドレス情報が表示される時点まで順次早送りしたり、巻き戻ししたり、頭出ししたりできる。また、本放送情報編集部は、アドレス情報インデックスを利用して、本放送情報を編集することができる。
【０１２０】
＜実施形態５のハードウェア構成＞
【０１２１】
以下、図２１のハードウェア図で本実施形態を実現する手段の一例を説明する。
【０１２２】
まず、ＲＡＭ（２１０２）に展開されたデジタル放送取得プログラムに従い、デジタルＴＶ・ラジオチューナ（２１０７）を介して、デジタル放送波を取得すると、ＲＡＭ（２１０２）のデータ領域に保存する。そして、デジタル放送波の中からデータ放送情報（ＢＭＬデータ）を取り出す。その後、ＲＡＭ（２１０２）に展開されたアドレス情報インデックス生成プログラムに従い、不揮発性メモリ（２１０３）に格納されているアドレス情報キーワードを取り出して、ＲＡＭ（２１０２）のデータ領域に保存する。そして、ＢＭＬデータの中に、アドレス情報キーワードが含まれているか比較処理する。
【０１２３】
ＢＭＬデータの中に、アドレス情報キーワードが含まれている場合には、ＢＭＬデータＩＤにタイミング情報と、アドレス情報が含まれていることを識別する情報を記載したインデックス情報を生成し、ＲＡＭ（２１０２）のデータ領域に保存する。一方、ＢＭＬデータの中に、アドレス情報キーワードが含まれていない場合には、ＢＭＬデータＩＤにタイミング情報のみを記載したインデックス情報を生成し、ＲＡＭ（２１０２）のデータ領域に保存する。
【０１２４】
データ放送情報がＪＰＥＧデータの場合にも、前記と同様の手順で、アドレス情報インデックスを生成する。
＜実施形態５の処理の流れ＞
【０１２５】
本実施形態の処理の流れの一例を図２２のフローチャートに示す。
【０１２６】
まず、データ放送情報を取得すると（Ｓ２２０１）、アドレス情報が含まれているか判断する（Ｓ２２０２）。
【０１２７】
アドレス情報が含まれている場合（Ｓ２２０３）、アドレス情報をインデックス情報として生成する（Ｓ２２０４）。一方、アドレス情報が含まれていない場合（Ｓ２２０３）、アドレス情報を含まないインデックス情報を生成する（Ｓ２２０５）。
【０１２８】
その後、データ放送情報の取得を終了するまで（Ｓ２２０６）、前記の処理を繰り返す。
＜実施形態５の効果＞
【０１２９】
本実施形態のデータ放送対応携帯視聴端末は、データ放送に「メールアドレス」、「ＵＲＬ」、「電話番号」、「ファックス番号」、「ＩＰアドレス」などのアドレス情報が含まれているか判断し、判断結果を利用してインデックス情報を生成する。
【０１３０】
一般的に、アドレス情報が番組放送で表示されているような場合は、アンケートの募集や、懸賞応募や、番組観覧希望募集の告知、などのイベントを行っている場合が多い。利用者は、本実施形態のデータ放送対応携帯視聴端末を利用することで、イベント情報が表示されている部分を容易に把握し、その場面から頭出し再生したり、その場面まで早送り、巻き戻ししたりして、効率的に本放送やそれと同期したデータ放送を視聴することができる。
＜＜実施形態６＞＞
＜実施形態６の概要＞
【０１３１】
本実施形態のデータ放送対応携帯視聴端末は、実施形態１から５を基本とし、さらに、図２３に示すように、生成したインデックス情報をマッピングして画面に表示する（２３０１）。そして、矢印アイコン（２３０２）などで指定したタイミングから、本放送やそれと同期したデータ放送を頭出し再生などし、効率的に視聴することができることを特徴とする。
＜実施形態６の機能的構成＞
【０１３２】
図２４は、本実施形態の放送受信装置の機能ブロックの一例を表す図である。この図にあるように本実施形態の「データ放送対応携帯視聴端末」（２４００）は、「本放送情報取得部」（２４０１）と、「本放送情報蓄積部」（２４０２）と、「本放送表示部」（２４０３）と、「データ放送情報取得部」（２４０４）と、「データ放送情報蓄積部」（２４０５）と、「データ放送表示部」（２４０６）と、「スライド表示部」（２４０７）と、「インデックス情報生成部」（２４０８）と、「本放送情報制御部」（２４０９）と、「マッピング表示部」（２４１２）を有する。
【０１３３】
「データ放送対応携帯視聴端末」（２４００）と、「本放送情報取得部」（２４０１）と、「本放送情報蓄積部」（２４０２）と、「本放送表示部」（２４０３）と、「データ放送情報取得部」（２４０４）と、「データ放送情報蓄積部」（２４０５）と、「データ放送表示部」（２４０６）と、「スライド表示部」（２４０７）と、「インデックス情報生成部」（２４０８）と、「本放送情報制御部」（２４０９）については、実施形態１などと同様であるので、ここでの詳細な説明は省略する。以下、「マッピング表示部」（２４１２）の機能的構成について説明する。
【０１３４】
「マッピング表示部」（２４１２）は、インデックス情報を本放送情報に対応させてマッピングして表示するよう構成されている。マッピング態様としては特段制限されないが、例えば、図２５のような例が考えられる。図２５（Ａ）は横軸に時間軸をとり、データ放送の表示が変化したすべてのタイミングを縦線で示したものである。図２５（Ｂ）は、レイアウト変更を示すインデックス情報とアドレス情報を示すインデックス情報を利用して、「コーナー変化」、「ＣＭ」、「アドレス情報表示」などを識別可能に示したものである。図２５（Ｃ）は、図２５（Ｂ）を基本とし、さらに、データ放送の表示が変化したすべてのタイミングを示す情報をも縦線で示したものである。図２５（Ｄ）は、図２５（Ｃ）を基本とし、さらに、各コーナーの名称（２５０１）を表示したものである。そして、選択されたコーナー（２５０１）におけるデータ放送の表示内容を示す情報（２５０２）を付加したものである。このような表示を実現する手段としては、ＢＭＬデータを利用して実現可能である。例えば、マッピング表示部（２４１２）は、ＢＭＬデータ（図３２）の中に、「ｔｉｔｌｅ」タグでの記述（３２０１）と、「ｂｏｄｙ」タグでの記述（３２０２）の間に、他の記述がある場合（例：「ｂｅｖｅｎｔ」タグ）（３２０４）、その表示内容（例：「ｂｅｉｔｅｍ」タグの記述）を取り出して、コーナー名称として表示してもよい。そして、「ｂｏｄｙ」タグの記述の中に（３２０２）、複数の「ｌｉｎｋ」タグが同列的に記述されている場合で、同一の記述が同一コーナー内のＢＭＬデータすべてに記述されている場合、その表示内容をコーナー内の表示内容を示す情報（２５０２）として表示してもよい。前記は、「ｌｉｎｋ」タグの表示内容と、リンク先のタイトル情報（「ｔｉｔｌｅ」タグでの記述）とを比較し、一致する場合のみコーナー内の表示内容を示す情報（２５０２）として表示してもよい。一方、同一コーナー内のＢＭＬデータすべてに記述されていない場合や、「ｌｉｎｋ」タグの表示内容とリンク先のタイトル情報が一致しない場合は、それぞれのＢＭＬデータにおける「ｂｏｄｙ」タグでの記述の中の、最初の表示内容を取り出して、データ放送の表示内容を示す情報（２５０２）として表示してもよい。
【０１３５】
＜実施形態６のハードウェア構成＞
【０１３６】
以下、図２６のハードウェア図で本実施形態を実現する手段の一例を説明する。
【０１３７】
まず、インデックス情報をマッピング表示する指示信号をユーザＩ／Ｆ（２６０６）を介して取得すると、当該信号をＲＡＭ（２６０２）のデータ領域に保存する。すると、ＲＡＭ（２６０２）に展開されたマッピング表示プログラムに従い、利用者の入力信号を解析し、インデックス情報を表示する番組識別情報を取り出し、ＲＡＭ（２６０２）に保存する。そして、取り出した番組識別情報と一致するインデックス情報を、不揮発性メモリ（２６０３）より取り出して、ＲＡＭ（２６０２）に保存する。また、不揮発性メモリ（２６０３）より、マッピング表データを取り出して、ＲＡＭ（２６０２）に保存する。
【０１３８】
そして、ＶＲＡＭ（２６０４）にマッピング表データを展開した後、インデックス情報（タイミング情報、レイアウト変更情報など）に従って、インデックス内容を展開する。そして、ＶＲＡＭ（２６０４）に展開したデータを、ディスプレイ（２６０５）に出力する。
＜実施形態６の処理の流れ＞
【０１３９】
本実施形態の処理の流れの一例を図２７のフローチャートに示す。
【０１４０】
まず、マッピング表示指示信号を受付けると（Ｓ２７０１）、入力信号からマッピング表示する番組を識別する（Ｓ２７０２）。そして、当該番組のインデックス情報を不揮発性メモリより取り出す（Ｓ２７０３）。そして、取り出したインデックス情報を利用して、ディスプレイに本放送のインデックスをマッピング表示する（Ｓ２７０４）。
＜実施形態６の効果＞
【０１４１】
本実施形態のデータ放送対応携帯視聴端末は、インデックス情報を利用して、記録した本放送のインデックスを画面にマッピング表示する。そして、それを利用して、本放送やそれと同期したデータ放送を頭出し再生などしながら、効率的に視聴することができる。
【０１４２】
その結果、利用者は、記録した本放送のコーナー変化やＣＭタイミングなどを視覚的に把握して再生などをコントロールすることが可能となり、より効率的に視聴することが可能となる。
＜＜実施形態７＞＞
＜実施形態７の概要＞
【０１４３】
本実施形態のデータ放送対応携帯視聴端末は、字幕データを利用してインデックス情報を生成し、それを利用して、記録した本放送やそれと同期したデータ放送を頭出し再生などし、効率的に視聴することができることを特徴とする。
＜実施形態７の機能的構成＞
【０１４４】
図２８は、本実施形態の放送受信装置の機能ブロックの一例を表す図である。この図にあるように本実施形態の「データ放送対応携帯視聴端末」（２８００）は、「本放送情報取得部」（２８０１）と、「本放送情報蓄積部」（２８０２）と、「本放送表示部」（２８０３）と、「字幕データ放送情報取得部」（２８１３）と、「字幕データ放送情報蓄積部」（２８１４）と、「字幕データ放送表示部」（２８１５）と、「スライド表示部」（２８０７）と、「インデックス情報生成部」（２８０８）と、「本放送表示制御部」（２８０９）を有する。
【０１４５】
なお、図示していないが、「本放送情報編集部」、「インデックス情報外部出力部」、「マッピング表示部」を有してもよい。これらを有した場合、前記１から６の実施形態などと同様の機能を実現することが可能である。
【０１４６】
「データ放送対応携帯視聴端末」（２８００）と、「本放送情報取得部」（２８０１）と、「本放送情報蓄積部」（２８０２）と、「本放送表示部」（２８０３）と、「スライド表示部」（２８０７）と、「本放送情報編集部」と、「インデックス情報外部出力部」と、「マッピング表示部」については、実施形態１などと同様であるので、ここでの詳細な説明は省略する。以下、「字幕データ放送情報取得部」（２８１３）と、「字幕データ放送情報蓄積部」（２８１４）と、「字幕データ放送表示部」（２８１５）と、「インデックス情報生成部」（２８０８）、「本放送表示制御部」（２８０９）の機能的構成について説明する。
【０１４７】
「字幕データ放送情報取得部」（２８１３）は、本放送情報とは分離して字幕データ放送情報を取得するよう構成されている。「字幕データ放送」とは、オプションとして本放送に同期して表示される文字放送のことをさす。よって、本放送の映像に組み込まれたテロップなどの文字情報は、字幕データ放送による表示ではない。字幕データ放送情報取得部（２８１３）は、本放送情報取得部（２８０１）が取得したデジタル放送波から字幕データ放送情報を分離して取得するよう構成されている。
【０１４８】
「字幕データ放送情報蓄積部」（２８１４）は、字幕データ放送情報取得部（２８１３）にて取得した字幕データ放送情報を蓄積するよう構成されている。なお、字幕データ放送情報蓄積部（２８１４）は、蓄積する字幕データ放送情報に、蓄積する番組を識別するための情報（例：「放送日時」、「ＣＨ」、「番組名」など）を付与して蓄積してもよい。
【０１４９】
「字幕データ放送表示部」（２８１５）は、字幕データ放送を画面に表示するよう構成されている。すなわち、字幕データ放送表示部（２８１５）は、字幕データ放送情報蓄積部（２８１４）より字幕データ放送情報を取得するよう構成されている。なお、字幕データ放送情報取得部（２８１３）より、直接字幕データ放送情報を取得するよう構成されてもよい。そして、取得した字幕データ放送情報にデコード処理などの所定の処理を行った後、画面に出力するよう構成されている。
【０１５０】
「インデックス情報生成部」（２８０８）は、字幕データ放送情報を利用してインデックス情報を生成するよう構成されている。ここで生成されるインデックス情報は、本放送情報のインデックス情報である。生成されるインデックス情報は、図３１に示すように、記録している番組の識別情報（例：「放送日時」、「ＣＨ」、「番組名」など）（以下、「番組識別情報」という）と、「表示する文字列」と、その文字列を本放送と同期して表示する際のタイミングを特定する情報などからなる。生成する手段は、データ放送情報を利用して生成する手段に準じて実現可能であるので、ここでの詳細な説明は省略する。
【０１５１】
「本放送表示制御部」（２８０９）は、インデックス情報を利用して、本放送表示部（２８０３）での表示を制御するよう構成されている。すなわち、本放送表示制御部（２８０９）は、字幕データ放送情報を利用して生成されたインデックス情報をも利用して、本放送表示部（２８０３）での表示を制御する。詳細については、実施形態２と同様であるが、本実施形態の本放送表示制御部（２８０９）は、字幕放送データに含まれる文字列の中から希望する文字列をインデックス情報を利用して検索し、検索した場面から本放送を頭出し再生したりできてもよい。
＜実施形態７のハードウェア構成＞
【０１５２】
以下、図２９のハードウェア図で本実施形態を実現する手段の一例を説明する。
【０１５３】
まず、字幕データインデックスを利用して、本放送のキーワード頭出し再生を開始する指示信号をユーザＩ／Ｆ（２９０６）を介して取得すると、入力信号をＲＡＭ（２９０２）のデータ領域に保存する。そして、ＲＡＭ（２９０２）に展開されたキーワード頭出し再生プログラムに従い、入力信号を解析し、再生する番組識別情報を認識する。そして、その番組識別情報で特定されるインデックス情報を不揮発性メモリ（２９０３）より取り出し、ＲＡＭ（２９０２）に保存する。また、ＨＤＤ（２９０９）より、番組識別情報で特定される本放送情報を取り出し。ＲＡＭ（２９０２）に保存する。
【０１５４】
その後、キーワード頭出し再生プログラムに従い、検索キーワードの入力をユーザＩ／Ｆ（２９０６）を介して受け付けると、ＲＡＭ（２９０２）のデータ領域に検索キーワードを保存する。そして、ＲＡＭ（２９０２）に保存している検索キーワードとインデックス情報を利用し、インデックス情報の文字列の中に、検索キーワードが存するか検索する。検索キーワードが存する場合、その文字列を識別するＩＤをＲＡＭ（２９０２）に保存し、保存した文字列ＩＤと関連付けられているタイミング情報を取得する。そして、ＲＡＭ（２９０２）に保存されている本放送情報を、タイミング情報で特定される部分からディスプレイ（２９０５）に出力する。
＜実施形態７の処理の流れ＞
【０１５５】
本実施形態の処理の流れの一例を図３０のフローチャートに示す。
【０１５６】
まず、記録している本放送を再生表示する指示信号を取得すると（Ｓ３００１）、再生する本放送を特定する番組識別情報を取得する（Ｓ３００２）。そして、番組識別情報で特定される本放送情報を、ＨＤＤより取り出す（Ｓ３００３）。
【０１５７】
その後、字幕データ放送の文字列を利用し、本放送をキーワード頭出し再生する指示信号を取得しなければ（Ｓ３００４）、本放送を最初の場面から再生表示する（Ｓ３００５）。一方、字幕データ放送の文字列を利用し、本放送をキーワード頭出し再生する指示信号を取得した場合（Ｓ３００４）、番組識別情報で特定されるインデックス情報を内部メモリより取り出す（Ｓ３００６）。そして、検索キーワードを受け付けると（Ｓ３００７）、そのキーワードが取り出したインデックス情報内に存在するか検索する（Ｓ３００８）。
【０１５８】
検索キーワードが見つかった場合は、その文字列を表示するタイミングを特定するタイミング情報を取得し（Ｓ３０１０）、そのタイミング情報で特定される場面から本放送を再生表示する（Ｓ３０１１）。一方、検索キーワードが見つからなかった場合は（Ｓ３００９）、再度検索キーワードの入力を受付け（Ｓ３００７）、同様の処理を繰り返す。
＜実施形態７の効果＞
【０１５９】
本実施形態のデータ放送対応携帯視聴端末は、字幕データを利用してインデックス情報を生成し、それを利用して、記録した本放送やそれと同期したデータ放送を頭出し再生することができる。
【０１６０】
これにより、利用者は、番組内で放送されたセリフなどを頼りに本放送の希望する場面を検索し、効率的に本放送を再生視聴することが可能となる。
【図面の簡単な説明】
【０１６１】
【図１】実施形態１の機能ブロック図
【図２】実施形態１のデータ放送情報を示す概念図
【図３】実施形態１のハードウェア構成の一例を示した概念図
【図４】実施形態１の処理の流れを示すフローチャート
【図５】実施形態２の効果を示す概念図
【図６】実施形態２の機能ブロック図
【図７】実施形態２のハードウェア構成の一例を示した概念図
【図８】実施形態２の処理の流れを示すフローチャート
【図９】実施形態３の機能ブロック図
【図１０】実施形態３の効果を示す概念図
【図１１】実施形態３のインデックス情報を示す概念図
【図１２】実施形態３のハードウェア構成の一例を示した概念図
【図１３】実施形態３の処理の流れを示すフローチャート
【図１４】実施形態４の機能ブロック図
【図１５】実施形態４の効果を示す概念図
【図１６】実施形態４のインデックス情報を示す概念図
【図１７】実施形態４のハードウェア構成の一例を示した概念図
【図１８】実施形態４の処理の流れを示すフローチャート
【図１９】実施形態５の機能ブロック図
【図２０】実施形態５のインデックス情報を示す概念図
【図２１】実施形態５のハードウェア構成の一例を示した概念図
【図２２】実施形態５の処理の流れを示すフローチャート
【図２３】実施形態６の効果を示す概念図
【図２４】実施形態６の機能ブロック図
【図２５】インデックス情報のマッピング表示の例
【図２６】実施形態６のハードウェア構成の一例を示した概念図
【図２７】実施形態６の処理の流れを示すフローチャート
【図２８】実施形態７の機能ブロック図
【図２９】実施形態７のハードウェア構成の一例を示した概念図
【図３０】実施形態７の処理の流れを示すフローチャート
【図３１】実施形態７のインデックス情報を示す概念図
【図３２】ＢＭＬデータの一例
【図３３】スライド表示タイミングの一例
【符号の説明】
【０１６２】
２３０１    インデックス情報のマッピング表示
２３０２    矢印アイコン
【図１】
2009147752.tif 000003
【図２】
2009147752.tif 000004
【図３】
2009147752.tif 000005
【図４】
2009147752.tif 000006
【図５】
2009147752.tif 000007
【図６】
2009147752.tif 000008
【図７】
2009147752.tif 000009
【図８】
2009147752.tif 000010
【図９】
2009147752.tif 000011
【図１０】
2009147752.tif 000012
【図１１】
2009147752.tif 000013
【図１２】
2009147752.tif 000014
【図１３】
2009147752.tif 000015
【図１４】
2009147752.tif 000016
【図１５】
2009147752.tif 000017
【図１６】
2009147752.tif 000018
【図１７】
2009147752.tif 000019
【図１８】
2009147752.tif 000020
【図１９】
2009147752.tif 000021
【図２０】
2009147752.tif 000022
【図２１】
2009147752.tif 000023
【図２２】
2009147752.tif 000024
【図２３】
2009147752.tif 000025
【図２４】
2009147752.tif 000026
【図２５】
2009147752.tif 000027
【図２６】
2009147752.tif 000028
【図２７】
2009147752.tif 000029
【図２８】
2009147752.tif 000030
【図２９】
2009147752.tif 000031
【図３０】
2009147752.tif 000032
【図３１】
2009147752.tif 000033
【図３２】
2009147752.tif 000034
【図３３】
2009147752.tif 000035